(57)【要約】【課題】  簡易な構成であっても自在継手として機能する連結金具を実現することで経済性に優れた土留用アンカーを提供する。【解決手段】  壁体とボルト７を連結する接続部材１２は、鋼製網１３の前面より差込む棒状部材１４と、これと鋼製網１３との間に介在する支持板１５と、鋼製網１３の背面で棒状部材１４と地山に固定するボルト７とを自在継手状に連結する連結金具１６よりなる。棒状部材１４及びボルト７は全ねじ状のねじ節鉄筋であって、棒状部材１４の外部にはナット１７を螺着する。連結金具１６は、夫々のねじ節鉄筋に螺合する一対のカップラー１８，１９と、両カップラーに夫々穿設する貫通孔１８ａ，１９ａに遊挿する環状部材２０を備える。【選択図】        図２
2005127012.tif 000002
【特許請求の範囲】
【請求項１】
土留壁体に取り付け裏込土内に突出する取付金具と、地盤内に固定するアンカー体と、これらの取付金具及びアンカー体を接続する連結金具を備える土留用アンカーにおいて、前記取付金具は、土留壁体に係止して少なくとも突出する端部に雄ねじを螺刻する棒状部材であり、前記アンカー体は、土留壁体側の端部に雄ねじを螺刻するアンカーバーを有し、前記連結金具は、前記棒状部材の雄ねじに螺着して後部側方に貫通孔を穿設する一のカップラーと、前記アンカーバーの雄ねじに螺着して前部側方に貫通孔を穿設する他のカップラーを有し、これら両カップラーに夫々穿設する前記貫通孔に遊挿して両カップラーを連結する環状部材を備えることを特徴とする土留用アンカー。
【発明の詳細な説明】
【技術分野】
【０００１】
この発明は、斜面に階段状の植樹帯を形成して法面の崩壊防止及び緑化促進に寄与する土留工において使用するアンカーに関し、特に施工性、経済性に優れる連結金具を備えた土留用アンカーに関する。
【背景技術】
【０００２】
急傾斜地の斜面に壁体立設用の平坦部を形成し、この平坦部に土留壁体を略垂直に載置すると共に地山に固定したアンカーを壁体に略直交して接続し、この壁体背面上部に樹木の生育に好適な土砂を裏込して壁体頂部に植樹帯を形成し、樹木の成長により地盤の強化を図るという所謂グリーンベンチ工法は、斜面の崩落防止と緑化を図るための優れた土留工である。
【０００３】
植樹帯となる水平面は遊歩道や管理用道路としても使用することができ、樹木の生育した裏込土は貯水機能を最大に発揮させていわゆる緑のダムの機能を果たすことができると共に、盛土を構築する際に有孔管等を埋設することで雨水の集水を図ることが可能となり、大量の降雨時にあっても、裏込土が飽和状態になることがなく安定した斜面を維持することができる。
【０００４】
ところでグリーンベンチ工法に用いる壁体としては、高さ１．５ｍ程度のコンクリートパネルの他、同程度の長さのコンクリート製の柱体に間伐材を水平に設置する構造のものがあったが、アンカーバーを直接壁体に固定すると裏込め土の沈下や壁体の変位により接続部分に応力集中が起こりアンカーバーに損傷・破断が生ずる恐れがあったため、この種の土留工ではアンカーバーと壁体との間に生じる相対変位に対して対処可能な、又アンカーバーと取付金具の軸方向を厳密に直線上に置かなくとも接続可能なアンカーが必要であった。このようなアンカーとしては、例えば下記に示すような従来技術があった。
【特許文献１】特開２０００−２６５４６４公報
【特許文献２】特開２００２−８１０７５公報
【０００５】
この従来の土留用アンカーにおける壁体とボルトを連結する接続部材１０１は、は図４に示すように、コンクリートパネル又はコンクリート製の柱体１０５に埋め込まれる埋込部材１０２と地盤内に固定するアンカー体１０３とこれらを接続する連結金具１０４よりなり、連結金具１０４は、接続ボルト１０７と、これを遊嵌する第一筒体１０８と、アンカーバー１０３ａ及びナット１０６を遊嵌する第二筒体１０９から構成されており、両筒体を螺着することで埋込部材１０２とアンカー体１０３を連結する構造であった。
【０００６】
ここで埋込部材１０２は矩形又は円形に形成する埋込板１０２ａと、その中心に突設する棒状部材１０２ｂを有し、棒状部材１０２ｂの中心には雌ねじ１０２ｃを螺刻していた。アンカー体１０３は、地盤内の定着部より延設するアンカーバー１０３ａを有し、その土留壁側の端部には雄ねじ１０３ｂを螺刻して、側面を球面状に形成するナット１０６を螺合していた。又接続ボルト１０７は、側面が球面状の拡張部１０７ａを後端に形成し、先端をパネル又は柱体１０５の表面に露出する棒状部材１０２ｂに螺合するもので、第一筒体１０８は内面の一端に凸部１０８ａを周設し、その奥部に球状内周面１０８ｂ、その外方に円錐状内周面１０８ｃを形成し、この凸部１０８ａは拡張部１０７ａを外方から包持して接続ボルト１０７を自在継手状に掛止していた。又第一筒体１０８の内面他端には雌ねじ１０８ｄを螺刻し、第二筒体１０９の雄ねじ１０９ａを螺着していた。
【０００７】
又第二筒体１０９の終端内面には雌ねじ１０９ｂを螺刻し、環状部材１１０を螺合していた。環状部材１１０は内面に凸部１１０ａを周設し、その奥部に球状内周面１１０ｂ、その外方に円錐状内周面１１０ｃを形成するもので、この凸部１１０ａはナット１０６を外方から包持してこれを自在継手状に掛止する構成であった。
【０００８】
又、コンクリートパネルやコンクリート製柱体に係止する間伐材よりなる受圧板等に比べ、より軽量化並びにより低コスト化を図る目的で、出願人は鋼材で補強された鋼製網を受圧板とする土留構造を特願２００２−２６２３６１で提案している。この土留構造は、鋼材で補強された鋼製網を受圧板として立設し、この鋼製網の背面に吸排水性の高い吸出し防止材を介在させながら樹木の生育に好適な土砂を裏込すると共に、前記受圧板をアンカーにて支持し、前記鋼製網の前面に受圧板補強用の間伐材を立設係止する構成であった。
【０００９】
この土留構造では図５に示すように、図示しない型鋼で補強された鋼製網２１２をボルト２０７で支持するために接続金具２１６を用いている。接続金具２１６は、鋼製網２１２の前面より差込むインサート２１７と、これと鋼製網２１２との間に介在するインサートプレート２１８と、鋼製網２１２の背面でインサート２１７に螺着する筒体２１９よりなる。インサート２１７は矩形又は円形に形成する支持板２１７ａと、その中心に突設するねじ付柱体２１７ｂを有し、地山に固定するボルト２０７は鋼製網２１２側の端部にナット２０７ａを螺着する。筒体２１９は内面に凸部２１９ａを周設し、外方から挿入するボルト２０７にナット２０７ａを捻じ込んだ後これを自在継手状に掛止する構成であった。又筒体２１９の内面他端には雌ねじ２１９ｂを螺刻し、ねじ付柱体２１７ｂと螺合していた。
【００１０】
インサート２１７は鋼製網２１２の任意の網目を通すことができるのでボルト２０７の位置に合せやすく、又所定範囲内であればボルト２０７が、あらゆる方向に傾いていても筒体２１９とインサート２１７を接続することができる。このためボルト２０７の設置が容易になり、又ボルト２０７と鋼製網２１２を直接連結することによって柱構造を省くことができる。鋼製網２１２は型鋼による補強によって重量増があっても、一平方メートル当たり１０ｋｇ程度であり傾斜地で使用することの多いこの種の工法としては、格段の軽量化が実現し、施工性は著しく向上するものであった。
【発明の開示】
【発明が解決しようとする課題】
【００１１】
しかし、従来の連結金具１０４や接続金具２１６の構造はやや複雑であって、部品点数も多かったため、製作コストが嵩む欠点があった。特に自在継手とするために筒体の内面に凸部を周設する構造が不可欠であったので、この部品を製作するのがコスト増の原因ともなっていた。
【００１２】
この発明は、上記のような従来の土留用アンカーが有する問題点を解消すべくなされたものであり、簡易な構成の連結金具を実現することで経済性に優れた土留用アンカーを提供することである。
【課題を解決するための手段】
【００１３】
上記課題を解決するため、この発明の土留用アンカーは、土留壁体に取り付け裏込土内に突出する取付金具と、地盤内に固定するアンカー体と、これらの取付金具及びアンカー体を接続する連結金具を備える土留用アンカーにおいて、前記取付金具は、土留壁体に係止して少なくとも突出する端部に雄ねじを螺刻する棒状部材であり、前記アンカー体は、土留壁体側の端部に雄ねじを螺刻するアンカーバーを有し、前記連結金具は、前記棒状部材の雄ねじに螺着して後部側方に貫通孔を穿設する一のカップラーと、前記アンカーバーの雄ねじに螺着して前部側方に貫通孔を穿設する他のカップラーを有し、これら両カップラーに夫々穿設する前記貫通孔に遊挿して両カップラーを連結する環状部材を備えることを特徴とするものである。
【００１４】
土留壁体としてはコンクリートパネル、コンクリート製の柱体に間伐材を水平に設置してパネル状に形成する構造のもの、あるいは鋼材で補強された鋼製網を受圧板として立設し前面に受圧板補強用の間伐材を立設係止する構成の何れでもよい。コンクリートパネルあるいはコンクリート製柱体に設置する取付金具は、取扱いを容易とするため、ねじ節鉄筋等の全ねじ状の棒状部材とこれを螺着する埋込部材を設け、鋼製網を受圧板とする場合には、矩形又は円形に形成する支持板と、これを挿通して頭部を拡張若しくは頭部に係止部材を設ける全ねじ状の棒状部材を用いることが望ましい。又棒状部材及びアンカーバーにはねじ節鉄筋を用いることが望ましい。
【００１５】
環状部材は例えば直径６ｍｍ程度の鋼棒を用いる。カップラーに穿設する貫通孔と環状部材には間隙を設け、取付金具とアンカーバーとの相対変位に対して対処可能とする。
【発明の効果】
【００１６】
この発明の土留用アンカーは、連結金具として、夫々の側方に貫通孔を穿設する一対のカップラーと、この貫通孔に遊挿して両カップラーを連結する環状部材を設けるので、簡易な構成であっても自在継手として機能する土留用アンカーを実現することができる。
【発明を実施するための最良の形態】
【００１７】
次にこの発明の実施の形態を添付図面に基づき詳細に説明する。図１は急傾斜地に施工する土留工の断面図である。この土留工が適用される地山１はボルトの植込みが可能な地質であって安定している斜面である。このような急傾斜地の斜面２を削って壁体３を設置するための平坦部４を等高線に沿って形成すると共にボルト孔５を穿設するための立上り部６を適宜形成する。
【００１８】
壁体３は地山１に略水平に設置するボルト７で支持され、その背面には樹木の生育に好適な裏込土８を投入して頂部に水平もしくは緩勾配の植樹帯９を段々に形成し、各段には壁体３を覆うような樹木１０を植える。この壁体３は１．５メートル程度の高さであって、各段毎に形成していく。例えば上方から切土を行う場合には先ず最上段の壁体３を据付けた後、下段の斜面２を削り、この掘削した土砂を表土とそれ以外の土石とに分割して仮置きする。形成された下段の平坦部４を利用して立上り部６にボルト孔５を穿設し、ボルト７を地山１に打ち込んでグラウト等により固定する。下段の壁体３をボルト７で接続し、仮置きした土石及び表土を裏込土８として投入して新たな植樹帯９を形成する。上記手順により順次下方に切り下げながら斜面２を削って得られた土砂の無駄を極力なくすと共に、作業足場を確保して安全を図る。
【００１９】
ここで壁体３は型鋼で補強された鋼製網を用い、この鋼製網に結束ワイヤ等の締結部材を介して間伐材１１を垂直に緊結すると共に、鋼製網の背面に吸出し防止材を配設する。鋼製網は水平・垂直方向に適宜間隔で型鋼を配設するものであるが、前面に立設する間伐材の剛性を生かすことで垂直方向の型鋼を省略することも可能である。
【００２０】
次に壁体とボルトの連結部分の詳細を図２に基づき説明する。図２はボルト連結部の拡大縦断面図である。壁体とボルトを連結する接続部材１２は、鋼製網１３の前面より差込む棒状部材１４と、これと鋼製網１３との間に介在する支持板１５と、鋼製網１３の背面で棒状部材１４と地山に固定するボルト７とを自在継手状に連結する連結金具１６よりなる。棒状部材１４及びボルト７は全ねじ状のねじ節鉄筋であって、棒状部材１４の外部にはナット１７を螺着する。このナット１７は支持板１５との当接面が略球体状となったコマナットを用いるのが望ましい。接触面を球形とすることにより棒状部材１４等の回転への順応を可能とする。
【００２１】
連結金具１６は、夫々のねじ節鉄筋に螺合する一対のカップラー１８，１９と両カップラーを連結する環状部材２０を備える。各カップラー１８，１９には夫々貫通孔１８ａ，１９ａが穿設されており、これに遊挿する環状部材２０は鋼棒を曲折して形成した２本の略半楕円体２０ａ，２０ａを用い、連結後に重合部を溶着する。
【００２２】
次に土留壁体としてコンクリートパネルもしくはコンクリート製柱体を使用する場合のの連結部分の詳細を図３に基づき説明する。図３はコンクリートに埋設するボルト連結部の拡大縦断面図である。なお、図３に示す部材において図２で説明した部材と同様な構成、作用を有するものは同一の符号を付して説明は省略する。
【００２３】
壁体３とボルト７を連結する接続部材２１はコンクリートパネル又はコンクリート製の柱体２２に埋め込まれる埋込部材２３とボルト７を自在継手状に連結する連結金具２４よりなる。埋込部材２３は矩形又は円形に形成する埋込板２３ａと、その中心に突設する棒状部材２３ｂを有し、棒状部材２３ｂの中心には棒状部材１４を螺着する雌ねじ２３ｃを螺刻する。連結金具２４も、一対のカップラー１８，１９と両カップラーを連結する環状部材２０を備える。
【産業上の利用可能性】
【００２４】
この発明の土留用アンカーは、所謂グリーンベンチ工法に限定されるものではなく、連結金具に使用する環状部材が支持し得る土圧であれば、一般の土留工にも適用できる。
【図面の簡単な説明】
【００２５】
【図１】急傾斜地に施工する土留工の断面図である。
【図２】ボルト連結部の拡大縦断面図である。
【図３】コンクリートに埋設するボルト連結部の拡大縦断面図である。
【図４】従来のコンクリートに埋設するボルト連結部の拡大縦断面図である。
【図５】従来の鋼製網を使用する壁体におけるボルト連結部の拡大縦断面図である。
【符号の説明】
【００２６】
７  ボルト
１２  接続部材
１３  鋼製網
１４  棒状部材
１５  支持板
１６  連結金具
１７  ナット
１８  カップラー
１８ａ  貫通孔
１９  カップラー
１９ａ  貫通孔
２０  環状部材
【図１】
2005127012.tif 000003
【図２】
2005127012.tif 000004
【図３】
2005127012.tif 000005
【図４】
2005127012.tif 000006
【図５】
2005127012.tif 000007